(57)【特許請求の範囲】
【請求項１】
建物の下部にすべり支承体を設け、基礎上に設けられたすべり面により前記すべり支承体を介して前記建物をすべり可能に支持するすべり支承装置において、
前記すべり面を覆った状態での外面を形成する防水シートと、前記すべり面と当接するように覆った状態での内面を形成するスポンジ状材料又は不織布から成る保水層と、を接着剤等で接合して一体化し、
前記すべり面上の水を前記保水層で吸水するとともに、この吸水した水を前記保水層の外周端面から自然蒸発させることにより、すべり面上に侵入する水を外部へ排出することを特徴とするすべり支承用カバー。
【請求項２】
前記すべり支承体の周囲に密着嵌合する開口と該開口から周縁に至る切れ目とが形成されていることを特徴とする請求項１に記載のすべり支承用カバー。
【請求項３】
前記シートの前記開口から周縁に至る切れ目を略対向する２箇所に形成することにより、該シートを２分割できるようにすることを特徴とする請求項１又は２に記載のすべり支承用カバー。
【請求項４】
前記保水層は通気性及び断熱性に優れた難燃性部材で形成されていることを特徴とする請求項１〜３のいずれかに記載のすべり支承用カバー。
【発明の詳細な説明】
【０００１】
【発明の属する技術分野】
本発明は、建物の下部にすべり支承体を設け、基礎上に設けられたすべり面により前記すべり支承体を介して前記建物をすべり可能に支持するすべり支承装置において、前記すべり面を覆うために使用されるすべり支承用カバーに関する。
【０００２】
【従来の技術】
建築物においては、地震や振動による変位を吸収することにより建物に伝達される振動を軽減する免震支持装置の一つとして、すべり支承装置を用いることが行なわれている。このすべり支承装置は、建物の下部にすべり支承体を設け、基礎上に設けられたすべり面により前記すべり支承体を介して前記建物をすべり可能に支持するように構成されている。また、このすべり支承装置は、例えば積層ゴム支承装置など、水平方向に弾性変位可能な免震支持装置とともに使用されることがある。このような建築用のすべり支承装置においては、摩擦係数を一定に保つために、すべり面に水や埃が付着することを極力防ぐ必要があり、そのために、防水防塵用のカバー（すべり支承用カバー）を装着することが行なわれている。
【０００３】
【発明が解決しようとする課題】
しかしながら、従来のすべり支承用カバーにあっては、カバー材の内面（裏面）に吸水性や保水性がないため、カバーの接合部（切れ目）、カバーのすべり支承体との嵌合部（開口部）、あるいはカバーの周縁部などの隙間から侵入した水がすべり面上に溜まった場合、カバー内面とすべり面との間の空気層による通気性のみでは溜まった水分を十分に蒸発させることができず、すべり支承体とすべり面との間の摩擦係数を一定に保つことができなくなるという解決すべき技術的課題があった。
【０００４】
本発明はこのような従来の技術的課題に鑑みてなされたものであり、本発明の目的は、すべり支承体をすべり自在に支持するすべり面に水が侵入した場合に、侵入した水を迅速に蒸発させて外部へ排出することにより、すべり支承体とすべり面との間の摩擦係数を常に一定に保つことができ、また、地震発生などによるすべり支承体とすべり面との相対移動を利用してカバー材によって該すべり面上の水や汚れ等を効果的に拭き取ることができるすべり支承用カバーを提供することである。
【０００５】
【課題を解決するための手段】
本発明（請求項１）に係るすべり支承用カバーは、上記目的を達成するため、建物の下部にすべり支承体を設け、基礎上に設けられたすべり面により前記すべり支承体を介して前記建物をすべり可能に支持するすべり支承装置において、前記すべり面を覆った状態での外面を形成する防水シートと、前記すべり面と当接するように覆った状態での内面を形成するスポンジ状材料又は不織布から成る保水層と、を接着剤等で接合して一体化し、前記すべり面上の水を前記保水層で吸水するとともに、この吸水した水を前記保水層の外周端面から自然蒸発させることにより、すべり面上に侵入する水を外部へ排出することを特徴とする。
【０００６】
請求項２〜４の発明は、上記請求項１の構成に加えて、前記すべり支承体の周囲に密着嵌合する開口と該開口から周縁に至る切れ目とが形成されている構成、前記シートの前記開口から周縁に至る切れ目を略対向する２箇所に形成することにより、該シートを２分割できるようにする構成、あるいは、前記保水層は通気性及び断熱性に優れた難燃性部材で形成されている構成とすることにより、一層効率よく上記目的を達成するものである。
【０００７】
【発明の実施の形態】
以下図面を参照して本発明の実施の形態を説明する。図１は本発明を適用したすべり支承用カバーを有するすべり支承装置を使用した建物を模式的に示す立面図であり、図２は図１中のすべり支承装置を示す縦断面図である。図１において、建物１０は床下に設置された複数のすべり支承装置２０及び複数の積層ゴム支承装置３０によって免震支持されている。図示の例では、床下は建物１０の床面１１と地中に構築された基礎１２の上面との間に形成されており、各すべり支承装置２０は建物の柱１３の下端部と前記基礎１２との間に構成されている。なお、符号１４は地面を例示する。
【０００８】
前記積層ゴム支承装置３０は円柱状の積層ゴム部３１の上下端面にフランジ部材３２、３３を一体的に固着接合して構成されており、前記積層ゴム部３１はゴム層と金属や硬質プラスチック板などの補強板とを交互に一体的に積層した構造を有する。図示の例では、前記積層ゴム支承装置３０は、上下のフランジ部材３２、３３を建物１０の柱１３及び基礎１２に対してボルト・ナット等で締結することにより、建物１０を免震支持する状態で取り付けられている。このような積層ゴム支承装置３０は、縦方向には高いばね定数を有し、横方向（水平方向）には低いばね定数を有しており、通常、その縦横ばね定数比は８００以上という大きな値となる。このような積層ゴム支承装置は、例えば、特開昭６０−２６１８４５号公報、特開昭６１−１４３４０号公報、特開昭６４−４８９５０号公報などに開示されている。
【０００９】
図１及び図２において、各すべり支承装置２０は、建物１０の柱１３の下端部に設けられたすべり支承体２１を基礎１２上に設けられたすべり面２２上に水平方向にすべり（摺動）可能に支持する構成を有している。図示の例では、基礎１２の上面に平板状部材２３を固定し、該平板状部材２３の平滑な上面を低摩擦面に仕上げることにより前記すべり面２２が形成されている。このすべり面２２を形成する前記平板部材２３の材質としては、鋼又はステンレス等の金属や焼結合金やＰＴＦＥ樹脂などが使用され、平滑性に優れ、かつ耐磨耗性もある低摩擦係数の材料が好ましい。一方、前記すべり支承体２１側のすべり面（端面）としても、前記平板状部材２３と同様の材質であってすべり面２２との組合せにより適度な摩擦係数を得られるものが使用される。
【００１０】
前記すべり支承装置２０においては、すべり特性（免震特性）を一定に保つためには、すべり面２２に水分やほこりが付着して摩擦係数が変化することを極力防止することが要請され、その目的のため、図２に示すように、すべり面２２を覆うためのすべり支承用カバー２４が装着されている。図３は本発明を適用したすべり支承用カバーの一実施例を有するすべり支承装置２０の組み付け状態を一部破断して示す模式的斜視図であり、図４は図３中のすべり支承用カバー２４の組み付け前の状態を示す模式的分解斜視図であり、図５は図４中の線５−５に沿って断面することによりすべり支承用カバー２４の構造を示す模式的縦断面図である。
【００１１】
図２〜図４において、前記すべり支承用カバー２４は、前記すべり面２２上への水やほこりの侵入を防ぐために、該すべり面２２の全面を覆うようなカバー部材で形成されている。図示のすべり支承装置では、建物１０側のすべり支承体２１は円形断面の円筒状部材で形成されているが、基礎１２側のすべり面２２を形成する前記平板状部材２３としては平面形状が八角形状の部材が使用されており、該平板状部材２３を覆うすべり支承用カバー２４としては、前記すべり面２２と略同じ面積もしくはそれ以上の面積（十分に広い面積を含む）を有する八角形状のカバー部材（略相似形のカバー部材）が使用されている。
【００１２】
また、前記すべり支承用カバー２４は、図３及び図４に示すように中央部を通る切れ目２７により２分割され、現場で組み付けた後で切れ目を密着させた状態で布テープ（クロステープ）２８で結合することで一体化するように構成され、施工時の組付け作業性の向上が図られている。なお、図示のすべり支承用カバー２４では、前記切れ目２７に沿う部位に接合部補強用の塩ビシート２９がブチル系接着剤の接着等で固着されている。さらに、前記すべり支承用カバー２４の略中央部には、組み立てた状態（図２、図３）で建物１０側の前記すべり支承体２１の外径面（周面）と防水防塵性を確保できるような状態で密着嵌合する開口２５が形成されている。
【００１３】
図２〜図４の実施例では、前記すべり支承用カバー２４は平板状をしており、建物１０側のすべり支承体２１と嵌合させて前記すべり面２２上に載置した状態で使用される。つまり、すべり支承用カバー２４の裏面（内面、下面）はすべり面２２上に載せられ周縁部では該すべり面２２と面一となるかもしくは該すべり面からはみ出して基礎１２の上面に当接している。図２〜図５において、前記すべり面２２への水やほこりの侵入を防ぐために該すべり面を覆うために使用されるすべり支承用カバー２４は、前記すべり面２２を覆った状態（図２及び図３の状態）での外面（おもて面、図示の例では上面）を形成する防水シート４１と、前記すべり面２２を覆った状態での内面（裏面、図示の例では下面）を形成するスポンジ状材料又は不織布から成る保水層４２と一体に接合した構成を有している。この防水シート４１と保水層４２との接合は、例えば熱融着用の接着剤で一体化することにより行われる。
【００１４】
前記防水シート４１としては、防水性に優れるとともに、例えば防塵性にも優れた難燃性の防炎シートを使用することが望ましい。この種の防水シートの具体例としては、例えばカンボウプラス株式会社により製造販売されているカラーターポリンの品番ＡＰＣ４００Ｆ（厚さ０．３５ｍｍ）を挙げることができる。また、前記保水層４２としては、スポンジ状材料又は不織布から成る吸水性及び保水性に優れた層が使用される。この種の保水層の具体例としては、例えば株式会社ブリヂストンにより製造販売されているフィブライト（同社の登録商標）を挙げることができる。このフィブライトは、吸音材としても使用されるものであり、ポリエステル短繊維を特殊繊維バインダー（ポリエステル）により繊維間を結合したポリエステル繊維１００％の繊維成形体もしくは不織布であり、吸音性、吸水性、保水性に優れている他、断熱性及び通気性にも優れた難燃性のスポンジ状（綿状）材料であり、構造的には不織布でもある。さらに、上記フィブライトは、撥水処理が容易で、高耐久性を有し、環境性にも優れた材料である。
【００１５】
そして、前記すべり支承用カバー２４では、通常、厚みが約０．２ｍｍ〜約１．５ｍｍ程度の防水シート４１の裏面に、厚みが約２５ｍｍ〜約１００ｍｍ程度の保水層４２を熱融着用の接着剤で固着した構造が採用される。その場合、通気性を有する保水層４２は比較的厚さが大きい（例えば５０ｍｍ程度）層で形成されるので、その外周端面４３は外気に開放された比較的広い面にすることができる。そこで、この外周端面４３は、保水層４２内に吸水され保水された水を自然蒸発によって外部へ放散（排出）する通気面として機能する。従って、すべり支承用カバー２４の隙間等から侵入してすべり面２２上に溜まる水は、通気性を有する前記保水層４２に吸水され保水された後、前記外周端面４３を通して自然蒸発により逐次外部へ排出されることになる。
【００１６】
以上説明したすべり支承用カバー２４の構成により、すべり面２２を覆った状態での外面を形成する防水シート４１と、すべり面２２を覆った状態での内面を形成するスポンジ状材料又は不織布から成る保水層４２と、を接着剤等で接合して一体化し、すべり面２２上の水を保水層４２で吸水するとともに、この吸水した水を保水層４２の外周端面４３から自然蒸発させることにより、すべり面２２上に侵入する水を外部へ排出するようにしたすべり支承用カバーが得られる。
【００１７】
そして、以上説明したすべり支承用カバー２４によれば、すべり面２２上の水を保水層３２で吸水するとともに、この吸水した水を保水層４２の外周端面４３から自然蒸発させて該すべり面２２上に侵入する水を外部へ排出するようにしたので、すべり支承体２１をすべり自在に支持するすべり面２２に水が侵入した場合に、侵入した水を迅速に蒸発させて外部へ排出することにより、すべり支承体２１とすべり面２２との間の摩擦係数を常に一定に保つことができる。また、地震発生時に建物１０が移動すると、すべり支承体２１とともにすべり支承用カバー２４も移動するので、該すべり支承用カバー２４の吸水性を有する裏面（保水層）４２によってすべり面２２上の水や汚れ等を拭き取ることができるという効果（いわゆる雑巾掛けの効果）も得られる。
【００１８】
また、前記すべり支承用カバー（シート）２４は、すべり支承体２１と嵌合する前記開口２５から周縁に至る切れ目２７によって分割構造にされているので、すべり支承体２１がすべり面２２に当接したそのままの状態ですべり支承用カバー２４を簡単かつ容易に取り付け取外しすることができ、保守点検時の作業性及び取扱い性を向上させることができる。つまり、図１及び図２の状態でも、すべり支承用カバー２４をすべり支承装置に簡単に取り付けたり取り外したりすることができる。なお、前述の実施例では、すべり支承体２１を円形断面の円筒体で形成するとともに、すべり面２２（平板状部材２３）及びすべり支承用カバー２４の平面形状を八角形状にしたが、これらの形状は円形、長円形、各種多角形など任意の形状に選定できるものである。
【００１９】
【発明の効果】
以上の説明から明らかなごとく、本発明（請求項１）に係るすべり支承用カバーによれば、建物の下部にすべり支承体を設け、基礎上に設けられたすべり面により前記すべり支承体を介して前記建物をすべり可能に支持するすべり支承装置において、前記すべり面を覆った状態での外面を形成する防水シートと、前記すべり面と当接するように覆った状態での内面を形成するスポンジ状材料又は不織布から成る保水層と、を接着剤等で接合して一体化し、前記すべり面上の水を前記保水層で吸水するとともに、この吸水した水を前記保水層の外周端面から自然蒸発させることにより、すべり面上に侵入する水を外部へ排出する構成としたので、すべり支承体をすべり自在に支持するすべり面に水が侵入した場合に、侵入した水を迅速に蒸発させて外部へ排出することにより、すべり支承体とすべり面との間の摩擦係数を常に一定に保つことができ、また、地震発生時などにおけるすべり支承用カバーとすべり面との相対移動を利用してカバー材により該すべり面上の水や汚れ等を拭き取ることができるすべり支承用カバーが提供される。
【００２０】
請求項２〜４の発明によれば、上記請求項１の構成に加えて、前記すべり支承体の周囲に密着嵌合する開口と該開口から周縁に至る切れ目とが形成されている構成、前記シートの前記開口から周縁に至る切れ目を略対向する２箇所に形成することにより、該シートを２分割できるようにする構成、あるいは、前記保水層は通気性及び断熱性に優れた難燃性部材で形成されている構成としたので、上記効果に加えて、水の排出機能の向上、施工性の向上、耐久性の向上などの効果を達成することが可能となる。
【図面の簡単な説明】
【図１】本発明を適用したすべり支承用カバーを有するすべり支承装置を使用した建物を模式的に示す立面図である。
【図２】図１中のすべり支承装置を示す縦断面図である。
【図３】本発明を適用したすべり支承用カバーの一実施例を有するすべり支承装置の組み付け状態を一部破断して示す模式的斜視図である。
【図４】図３中のすべり支承用カバーの組み付け前の状態を示す模式的分解斜視図である。
【図５】図４中の線５−５に沿って断面することにより本発明を適用したすべり支承用カバーの構造を示す模式的縦断面図である。
【符号の説明】
１０        建物
１１        床面
１２        基礎
１３        建物の柱
１４        地面
２０        すべり支承装置
２１        すべり支承体
２２        すべり面
２３        平板状部材
２４        すべり支承用カバー
２５        開口
２７        切れ目
２８        布テープ（クロステープ）
２９        塩ビシート（接合部補強用）
３０        積層ゴム支承装置
４１        防水シート
４２        保水層
４３        保水層の外周端面
【図１】
0004297592.tif 000002
【図２】
0004297592.tif 000003
【図３】
0004297592.tif 000004
【図４】
0004297592.tif 000005
【図５】
0004297592.tif 000006